(57)【要約】【課題】断熱材と、透湿防水膜を利用した空気排出口の適切な配置によって冷却効果の高い冷却袋を提供し、よって省エネルギーと冷媒交換労力の軽減を実現する。【解決手段】袋体（１）内部の空気を排出することにより冷媒が袋体（１）に密着して効率的に身体患部を冷却する目的で、袋体（１）片面に、透湿防水膜からなる空気排出口（２ａ、２ｂ）を備えたキャップ（３ａ、３ｂ）式の冷媒出し入れ口（４ａ、４ｂ）を備える。箇所数にはこだわらない。また、袋体（１）の、冷却効果が不要な面の素材中に発泡スチロールなどの断熱材（５）を組み入れるかもしくは素材そのものを断熱材（５）で作って、寝具その他の外部からの熱の流入を妨げて袋体（１）内部の冷媒の温度上昇を抑制する。以上により安価で冷却効果の高い冷却袋を製作して提供する。【選択図】　　　　図２
2004105679.tif 000002
【特許請求の範囲】
【請求項１】
冷媒を保持する冷却用袋であって、袋体の１箇所または複数箇所に、冷媒とそれを保持している袋を密着させる目的で内部の空気を抜くために、透湿防水膜からなる空気排出口を持つ着脱可能な部品を装備した冷却用袋。
【請求項２】
冷媒を保持する冷却用袋であって、冷却効果を作用させる必要が無い箇所の袋体素材の全部あるいは一部に断熱材を組み込むか、あるいは冷却効果を作用させる必要が無い箇所の袋体素材の全部あるいは一部の袋体素材そのものを断熱材で構成した冷却用袋。
【請求項３】
請求項１と請求項２両方を組み合わせた冷却用袋。
【発明の詳細な説明】
【０００１】
【発明が属する技術分野】
本発明は、冷却効果が不必要な面については高い断熱性を持ち、冷却効果が必要な面については冷媒と袋体とのあいだに溜まりやすい空気の排出を容易にして冷媒から気化熱を奪い、また同時に、冷媒が袋体の構成部材に直接に接することによって熱伝導性を高め、結果として身体の特定部位の冷却に際して吸熱性に優れた冷却用袋に関するものである。
【０００２】
【従来の技術】
従来、冷却用袋あるいは水枕に透湿防水膜を備えて、冷媒表面からの蒸気を透湿防水膜によって逃がし、その際の気化熱によって冷媒の温度上昇率を下げて、冷媒交換のわずらわしさを軽減する技術が知られている（例えば特許文献１参照）。
【０００３】
【特許文献１】
特許公開２００２−４５３８９号公開日２００２年２月１２日（０００６）（発明の実施の形態）
【０００４】
上記の特許文献においては、冷却用袋の内部に冷媒として保持されている水を透湿防水膜を通して気化させ、その時の気化熱によって冷媒である水の温度上昇を抑制するという考えからもわかるように、冷却袋内部の冷媒と透湿防水膜を密着させて効果を出そうとしている。
【０００５】
そのために、実験に際しても透湿防水膜の面積を重要な要因と考えて、袋全体を透湿防水膜で製作したものを試験体としている。
【０００６】
【発明が解決しようとする課題】
特許公開２００２−４５３８９号公開日２００２年２月１２日の文献においては実験において期待どおりの効果が確認できたが、この実験において使用した透湿防水膜そのものの断熱性能がゴムに比べて高いために、実験結果の効果のすべてが透湿防水膜を通しての気化熱発散によるものとは考えにくい。透湿防水膜の高断熱性によって周囲からの熱を吸収しにくい事も影響していると考える。むしろ、透湿防水膜は熱伝導率がゴムに比べて小さいことから、身体患部を冷やすための水枕の袋体素材としては適さない材料である。また、透湿防水膜そのもののコストが非常に高いので、実験のように冷却用袋の袋体全体を透湿防水膜で製作することは販売価格のの高騰に直接つながる。そしてさらに、透湿防水膜は表面の油汚れや膜内部への微粒子の浸透により著しく透湿防水性能をそこなうだけでなく、ゴムに比べて破れやすいので、必要に応じて容易にその表面の状態を確認できなければならない。また、透湿防水膜そのものは現在水枕に使用されているゴムに比べて非常にしなやかで柔らかく、水枕の素材として利用した場合には形状の保持が難しく、しかも現在の主流であるゴム製水枕のように上と下をつなげて型崩れを防ぐということも出来ない。
【０００７】
【課題を解決するための手段】
本発明はこのような事情に鑑みてなされたものであって、身体患部にあてない個所からの熱の流入を防いで冷媒の温度上昇を抑制し、メンテナンスが容易な箇所に設置した少ない面積の透湿防水膜を利用した空気排出口から、冷却袋内部に溜まった空気を排出して冷媒からの気化熱を奪うとともに、冷媒が袋体に密着して患部を効率よく冷却できるようにし、もって冷媒の交換の煩わしさを軽減することを目的とする。
【０００８】
本発明の特徴は、冷却効果作用箇所の冷却効率を高めるために冷媒と袋体の間に集まった空気を排除することによって冷媒からの気化熱を奪い去る目的で、透湿防水膜を利用した空気排出口を設置するとともに、身体患部に当てない箇所からの寝具や外気などによる熱の流入を防ぐために、その箇所に断熱材を配置したことにある。
【０００９】
【発明の実施の形態】
以下、本発明の実施形態を述べる。図１は本発明の一つの実施形態である水枕の斜視図である。図１のように、ゴム製の水枕の袋体（１）上面に、キャップ式の冷媒出し入れ口（４ａ、４ｂ）を２箇所そなえる。
【００１０】
液体だけでなく氷などの固体冷媒の出し入れも考慮して片方の冷媒出し入れ口（４ｂ）を大きなものとした。
【００１１】
図１の位置に冷媒出し入れ口（４ａ、４ｂ）を設けた理由は、実際に水枕を使用した場合に袋体（１）内部において冷媒の上部に溜まった空気が、高い位置にあるこれらの冷媒出し入れ口（４ａ、４ｂ）に集まりやすいからである。
【００１２】
冷媒出し入れ口（４ａ、４ｂ）のキャップ（３ａ、３ｂ）の中央部に、透湿防水膜のひとつであるジャパンゴアテックス株式会社製のゴアテックス（登録商標）ファブリックからなる空気排出口（２ａ、２ｂ）を設ける。通常、透湿防水膜そのものであるゴアテックス（登録商標）メンブレンそのものだけでは耐久性に乏しいので、ゴアテックス（登録商標）メンブレンをナイロンやポリエステルの生地でラミネートしたゴアテックス（登録商標）ファブリックという形で使用する。ゴアテックス（登録商標）メンブレンとゴアテックス（登録商標）ファブリックについての説明は省略する。
【００１３】
図２は断面図であるが、水枕の袋体（１）の、下側の面の部材の中に発泡スチロールの断熱材（５）を組み入れる。
【００１４】
以上の構成からなる袋体（１）に冷媒として水と氷を入れてキャップ（３ａ、３ｂ）を閉じて、袋体（１）の上に冷却したい身体患部を載せる。
【００１５】
【発明の効果】
冷却効果が必要でない箇所に断熱材（５）として発泡スチロールを袋体（１）内部に設置した。これによって高い断熱性が得られ、外気や寝具などからの熱伝導が抑制されて、袋体（１）内部の冷媒の温度上昇を軽減する事が出来る。
【００１６】
また、袋体（１）全部がゴム製であれば冷却袋の上面と下面を接合して形が崩れるのを防ぐことが出来るが、透湿防水膜を袋体（１）に使用した場合には、透湿防水膜の強度の面から透湿防水膜を接合することは不適切である。なおかつ透湿防水膜はゴムに比較してしなやかであるために、袋体（１）の形状保持に問題があったが、図２のように片面の袋体（１）内部に断熱材（５）を入れることにより、袋体（１）の形状保持にも効果があり、冷却袋として利用の際の型崩れ防止にもなる。
【００１７】
この型崩れ防止効果は、袋体（１）の素材の内部に断熱材（５）を入れても、その箇所の袋体（１）の素材そのものを、硬めで防水性がある断熱材（５）で製作しても得ることが出来る。袋体（１）の上下の素材内面を接合することによって型崩れを防ぐ方法と違って、固形冷媒の出し入れの妨げにならないという利点がある。
【００１８】
本発明では、冷媒出し入れ口（４ａ、４ｂ）のキャップ（３ａ、３ｂ）にゴアテックス（登録商標）メンブレンをナイロンやポリエステルの生地でラミネートしたゴアテックス（登録商標）ファブリックを利用した透湿防水膜からなる空気排出口（２ａ、２ｂ）をつけることにより、冷却袋内部に溜まった空気を排出することが出来る。このことにより、身体患部が載っている袋体（１）が直接に冷媒に接することになり、身体患部の熱を速やかに吸収することが出来る。
【００１９】
空気排出口（２ａ、２ｂ）に備える透湿防水膜は、透湿防水材そのものだけで使用する場合は耐久性に問題があるので、通常は透湿防水材そのものをナイロンやポリエステルの生地でラミネートした形で使用したほうが良い。透湿防水材であるゴアテックス（登録商標）メンブレンは通常、ナイロンやポリエステルの生地でラミネートしたゴアテックス（登録商標）ファブリックという形で使用される。
【００２０】
ゴアテックス（登録商標）メンブレンを利用した透湿防水膜からなる空気排出口（２ａ、２ｂ）をキャップ（３ａ、３ｂ）の位置に備えることには二つの利点がある。
【００２１】
一つめの利点は、簡単に透湿防水膜の状態を確認できるばかりでなく、透湿防水膜の性能が劣化した場合には少ない出費で交換することができる点である。
【００２２】
二つめの利点は、袋体（１）内部に溜まった空気はその性質上、高い位置にある空気排出口（２ａ、２ｂ）に集まりやすいので効率的に空気を排出できる点である。
【００２３】
これまでの発明では、透湿防水膜は冷媒表面からの蒸気を逃がすという目的で設置されていたために、透湿防水膜の使用面積が冷媒からの蒸気を排出する性能に関係していた。そのためにより多くの面積の透湿防水膜を使用しなくてはならない。透湿防水膜のコストはゴムに比べて極めて高価なために、それを使用した冷却袋の販売価格も高くなってしまう。そしてさらに一番の問題は、これまでの透湿防水膜を利用した冷却袋では、透湿防水膜の状態を簡単に確認できないし、交換も出来ないということである。しかし、本発明では、ほんの少しの面積の透湿防水膜を利用した空気排出口（２ａ、２ｂ）をキャップ（３ａ、３ｂ）に備えることにより、これらのすべての問題を解決することができる。
【図面の簡単な説明】
【図１】本発明を水枕の形態で実施した例の斜視図である。
【図２】図１の本発明をＡ−Ａの箇所で切った時の断面図である。
【符号の説明】
１　　袋体
２ａ　空気排出口
２ｂ　空気排出口
３ａ　キャップ
３ｂ　キャップ
４ａ　冷媒出し入れ口
４ｂ　冷媒出し入れ口
５　　断熱材
６　　パッキン
７　　空気の流れ
【図１】
2004105679.tif 000003
【図２】
2004105679.tif 000004